【事件の表示】
　平成１０年特許願第１１４７７１号「液晶表示装置」拒絶査定不服審判事件〔平成１１年１１月　５日出願公開、特開平１１−３０５２５４〕について、次のとおり審決する。
【結　論】
　本件審判の請求は、成り立たない。
【理　由】
１．手続の経緯  
　本願は、平成１０年４月２４日の出願であって、原審において、平成１７年７月１３日に手続補正がなされ、その後同年８月１０日付けで拒絶査定がなされ、これに対し、同年１０月５日に拒絶査定不服審判請求がなされるとともに、同年１１月１日に手続補正がなされ、当審において、平成２０年１月４日付けで平成１７年１１月１日付け手続補正が却下されるとともに、同日付けで最後の拒絶理由が通知され、これに対し、同年３月３１日に手続補正（なお、この補正により請求項１は補正されていない。）がなされたものである。
 　　  
２．本願発明
　本願の請求項１に係る発明（以下「本願発明」という。）は、平成２０年３月３１日付け手続補正により補正された明細書及び図面の記載からみて、その特許請求の範囲の請求項１に記載された事項により特定されるとおりの次のものである。
 　　  
「【請求項１】  
　アクティブ素子を形成した第１の基板と、共通電極を形成した第２の基板とを有し、該第１の基板及び該第２の基板で液晶層を挟持してなる液晶表示素子と、
　前記液晶表示素子の一方の辺に沿って配置したインターフェイス回路基板と、
　前記インターフェイス回路基板に一端を接続して前記第１の基板の少なくとも一辺に沿って配置して前記アクティブ素子に対して表示のための駆動信号電圧を供給するフレキシブル基板と、
　前記アクティブ素子の引出し線に出力端子を接続すると共に前記フレキシブル基板の導体層部分に入力端子を接続する如く搭載した駆動ＩＣチップとを備え、
　該駆動ＩＣチップで駆動される前記アクティブ素子の引出し線の配列方向のセンタと、前記駆動ＩＣチップの前記アクティブ素子の引出し線の配列方向に平行な方向のセンタとを一致させ、
　前記駆動ＩＣチップの入力端子に接続する前記フレキシブル基板の導体層部分の前記アクティブ素子の引出し線の配列方向に平行な方向のセンタを前記駆動ＩＣチップのセンタから前記インターフェイス回路基板側にオフセットさせたことを特徴とする液晶表示装置。」
　　
３．引用刊行物
３．１．引用刊行物１
　当審における平成２０年１月４日付け拒絶理由通知において引用された、本願の出願前に頒布された刊行物である特開平８−２４８４３１号公報（以下「引用刊行物１」という。）には、図面と共に以下の事項が記載されている。
　
ア．「【請求項１】透明絶縁基板上に駆動用ＩＣを搭載し、上記透明絶縁基板上に形成した端子とフレキシブル基板を接続し、上記駆動用ＩＣへの入力を上記透明絶縁基板上に形成した配線パターンを介して上記フレキシブル基板から行なう液晶表示素子において、上記フレキシブル基板が上記透明絶縁基板と重なる領域内の透明絶縁基板上に、上記フレキシブル基板との合わせマークがあることを特徴とするフリップチップ方式の液晶表示素子。」
　　
イ．「【０００１】
【産業上の利用分野】本発明は、重ね合わせた２枚の透明絶縁基板の一方の基板上に駆動用ＩＣを搭載したフリップチップ方式の液晶表示素子及びその製造方法に関する。」
　　
ウ．「【０００４】このフリップチップ方式の接続方法を図１１を参照して説明する。図１１（ａ）に示すように、駆動用ＩＣにはバンプＢＵＭＰ（突起電極）が形成されており、ボンディングヘッドＨＥＡＤの加圧面に真空吸着等により保持される。」
　　
エ．「【００１７】
【実施例】以下本発明につき実施例によって具体的に説明する。
【００１８】図１は、本発明によって、透明絶縁基板ＳＵＢ１上に駆動用ＩＣを搭載した様子を示す平面図である。更に、Ａ−Ａ切断線における断面図を図５に、Ｂ−Ｂ切断線における断面図を図８に示す。一方の透明絶縁基板ＳＵＢ２は、一点鎖線で示すが、透明絶縁基板ＳＵＢ１の上方に位置し、シールパターンＳＬ（図５参照）により、有効画面エリアＡＲを含んで液晶ＬＣを封入している。透明絶縁基板ＳＵＢ１上の電極ＣＯＭは、導電ビーズや銀ペースト等を介して、透明絶縁基板ＳＵＢ２側の共通電極パターンに電気的に接続させる配線である。配線ＤＴＭは、駆動用ＩＣからの出力信号を有効画面エリアＡＲ内の配線に供給するものである。配線Ｔｄは、駆動用ＩＣへ入力信号を供給するものである。異方性導電膜ＡＣＦは、一列に並んだ複数個の駆動用ＩＣ部分に共通して細長い形状となったものＡＣＦ２と上記複数個の駆動用ＩＣへの入力配線パターン部分に共通して細長い形状となったものＡＣＦ１を別々に貼り付ける。パッシベーション膜ＰＳＶ１は、図５にも示すが、電食防止のため、できる限り配線部を被覆させ、露出部分は、異方性導電膜ＡＣＦ１にて覆うようにする。合わせマークＡＬＣは、駆動用ＩＣへの入力配線パターンや本例では共通電極用配線の外側で両側にもうける。」
　　
オ．「【００２２】図３は、図２に示した実施例であるＴＦＴ液晶表示モジュールのＴＦＴ液晶表示素子とその外周部に配置された回路を示すブロック図である。本発明では、ドレインドライバＩＣ1〜ＩＣM及びゲートドライバＩＣ1〜ＩＣNは、図５に示すように、液晶表示素子の一方の透明絶縁基板ＳＵＢ１上に形成されたドレイン側引き出し線ＤＴＭ及びゲート側引き出し線ＧＴＭと異方性導電膜あるいは紫外線硬化樹脂等でチップ・オン・ガラス実装（ＣＯＧ実装）されている。本例では、ＸＧＡ仕様である１０２４×３×７６８の有効ドットを有する液晶表示素子に適用している。このため、液晶表示素子の透明絶縁基板上には、１９２出力のドレインドライバＩＣを対向する各々の長辺に８個ずつ（Ｍ＝１６）と、１００出力のゲートドライバＩＣを短辺に８個（Ｎ＝８）とをＣＯＧ実装している。液晶表示素子の上側及び下側にはドレインドライバ部１０３が配置され、また、側面部には、ゲートドライバ部１０４、他方の側面部には、コントローラ部１０１、電源部１０２が配置される。コントローラ部１０１及び電源部１０２、ドレインドライバ部１０３、ゲートドライバ部１０４は、それぞれ電気的接続手段ＪＮ１〜４により相互接続させる。
【００２３】図４は、表示パネルＰＮＬの外周部に多層フレキシブル基板ＦＰＣ１〜３及び多層プリント基板ＰＣＢを実装した状態を示す下面図である。本例では、多層フレキシブル基板ＦＰＣ１〜３は、この後の工程で下側に折り曲げられる。」
　　
カ．「【００２６】本例で使用した多層フレキシブル基板は、３層以上の導体層、例えば、４層の導体層Ｌ１〜４の部分ＦＭＬを液晶パネルＰＮＬの辺に並行して設け、この部分に周辺回路配線や電子部品を搭載することで、データ線数が増加しても、基板外形を保持したまま層数を増やすことで対応できる。・・・（中略）・・・
【００２７】多層フレキシブル基板の利点は、ＣＯＧ実装する場合に必要な接続端子部分ＴＭを含む導体層Ｌ３が他の導体層と一体で構成でき、部品点数が減ることである。
【００２８】また、３層以上の導体層の部分ＦＭＬで構成することで、変形が少なく硬い部分になるため、この部分に位置決め用穴ＦＨＬ（図７）を配置できる。また、多層フレキシブル基板の折り曲げ時にも、この部分で変形を生じることなく、信頼性及び精度良い折り曲げができる。更に、ベタ状あるいはメッシュ状導体パターンを表面導体層Ｌ１に配置でき、残りの２層以上の導体層で、部品実装用や周辺配線用導体パターンの配線を行なうことができる。
【００２９】このように、突出部分ＦＳＬ（図６）を２層以下の導体層で構成することで、ヒートツールでの熱圧着時に、熱伝導が良く圧力を均一に加えることができ、接続端子部分ＴＭと端子配線Ｔｄの電気的な信頼性を向上できる。また、多層フレキシブル基板の折り曲げ時にも、接続端子部分ＴＭに曲げ応力を与えることなく、精度良い折り曲げができる。また、突出部分ＦＳＬ部分が半透明であるため、導体層のパターンが多層フレキシブル基板の上面側からも観察できるため、接続状態等のパターン検査が上面側からもできるという利点もある。」
　　
キ．「【００３３】ドレインドライバ駆動ＩＣの入力としては、計４７本あり、接続端子部分ＴＭに電気接続させる。端子ＴＭのピッチは約３７０μｍである。本例では、アラインメントマークＡＬＭＤは、前記４７本の入力用端子ＴＭと隣接して、接続信頼性向上用のダミー線（端子番号２及び５０）を配置する。更にその外側には、液晶容量の対向電極であり、透明絶縁基板ＳＵＢ２の内側にある共通透明画素電極ＣＯＭ（図１参照）に電圧を供給するための端子（番号１及び５１）が配置される。こうして、コモン電圧は、透明絶縁基板ＳＵＢ１上の配線Ｔｄパターンを通して、導電性ビーズやペーストを介して、透明絶縁基板ＳＵＢ２側の共通透明画素電極ＣＯＭに供給される。
【００３４】アラインメントマークＡＬＭＤは、この電極ＣＯＭに電気的につながる端子（番号１及び５１）にパターン接続して設け、透明基板ＳＵＢ１上の四角の塗りつぶしパターンＡＬＣ（図６参照）と合わせる。」
　　
ク．「【００４８】したがって、上記バンプＢＵＭＰと合わせマークＡＬＣの相対位置が決定されたことになる。なお、合わせマークＡＬＣは、図８に示すように、ゲート配線の材料として使用されている不透明なアルミニウムＡＬ上に透明画素電極の材料として使用されている透明なＩＴＯ膜を被覆させた正方形のパターンである。」
　　
ケ．「【００５２】次に、ボンディングヘッドＨＥＡＤを更に下降させ、複数の駆動用ＩＣを通常は１辺に並んだ複数の駆動用ＩＣを透明絶縁基板ＳＵＢ１上に一括して加熱圧着し、駆動用ＩＣのバンプＢＵＭＰと透明絶縁基板ＳＵＢ１の配線パターンＤＴＭ、Ｔｄとを異方性導電膜ＡＣＦ２により、電気的に接続する。」
　　
コ．「【００５８】最後に、ボンディングヘッドＨＥＡＤを更に下降させ、フレキシブル基板ＦＰＣを透明絶縁基板ＳＵＢ１上に加熱圧着し、フレキシブル基板ＦＰＣと透明絶縁基板ＳＵＢ１の配線パターンＴｄとを異方性導電膜ＡＣＦ１により、電気的に接続する。」
　　
図１からは、
ａ１．駆動用ＩＣに接続されるドレイン側引き出し線ＤＴＭ（ゲート側引き出し線ＧＴＭ）の配列方向のセンタが、駆動用ＩＣのドレイン側引き出し線ＤＴＭ（ゲート側引き出し線ＧＴＭ）の配列方向に平行な方向のセンタと一致すること、
ａ２．駆動用ＩＣに接続される端子配線Ｔｄのドレイン側引き出し線ＤＴＭ（ゲート側引き出し線ＧＴＭ）の配列方向に平行な方向のセンタが、駆動用ＩＣのドレイン側引き出し線ＤＴＭ（ゲート側引き出し線ＧＴＭ）の配列方向に平行な方向のセンタと一致すること、
ａ３．透明絶縁基板ＳＵＢ１上に配列された端子配線Ｔｄの周囲に電極ＣＯＭ及び合わせマークＡＬＣが配置されること、
がそれぞれ見てとれる。
　　
図４からは、
ｂ１．表示パネルＰＮＬの一方の辺に沿って多層プリント基板ＰＣＢが配置されること、
ｂ２．多層プリント基板ＰＣＢに一端を接続して表示パネルＰＮＬの二辺に沿って多層フレキシブル基板ＦＰＣ２及びＦＰＣ３がそれぞれ配置されること、
がそれぞれ見てとれる。
　　
ｃ１．図５からは、透明絶縁基板ＳＵＢ１と透明絶縁基板ＳＵＢ２で液晶ＬＣを挟持することが見てとれる。
　　
ｄ１．図１及び図５からみて、表示パネルＰＮＬは少なくとも透明絶縁基板ＳＵＢ１からなり、表示パネルＰＮＬの外周部は透明絶縁基板ＳＵＢ１の外周部に一致する、といえるから、上記ｂ１．と併せると、
　多層プリント基板ＰＣＢに一端を接続して透明絶縁基板ＳＵＢ１の二辺に沿って多層フレキシブル基板ＦＰＣ２及びＦＰＣ３がそれぞれ配置される、といえる。
　　
ｄ２．図５からみて、駆動用ＩＣに設けられるバンプＢＵＭＰのうち、引き出し線ＤＴＭ、ＧＴＭに接続されるのが出力側のバンプＢＵＭＰであり、端子配線Ｔｄに接続されるのが入力側のバンプＢＵＭＰである、といえる。
　　
ｄ３．図５及び図６は、多層フレキシブル基板ＦＰＣに配列された出力端子ＴＭが、それぞれ端子配線Ｔｄと重ねられて接続されていることが見てとれるから、両者の引き出し線ＤＴＭ，ＧＴＭの配列方向に平行な方向のセンタは、駆動用ＩＣに接続される端子配線Ｔｄの引き出し線ＤＴＭ、ＧＴＭの配列方向に平行な方向のセンタに一致し、それゆえ、上記ａ２．と併せると、
　多層フレキシブル基板ＦＰＣの出力端子ＴＭの駆動用ＩＣのドレイン側引き出し線ＤＴＭ（ゲート側引き出し線ＧＴＭ）の配列方向に平行な方向のセンタは、駆動用ＩＣのドレイン側引き出し線ＤＴＭ（ゲート側引き出し線ＧＴＭ）の配列方向に平行な方向のセンタと一致する、といえる。
　　
　また、ＴＦＴが透明絶縁基板ＳＵＢ１に形成されること、駆動用ＩＣとＴＦＴがドレイン側引き出し線ＤＴＭを介して電気的に接続され駆動用ＩＣによってＴＦＴが駆動されること、多層フレキシブル基板ＦＰＣからＴＦＴに対して表示のための駆動信号電圧を供給すること、はそれぞれ明らかである。
　よって、これらを総合すると、引用刊行物１には、
「ＴＦＴを形成した透明絶縁基板ＳＵＢ１と、共通電極を形成した透明絶縁基板ＳＵＢ２とを有し、該透明絶縁基板ＳＵＢ１及び該透明絶縁基板ＳＵＢ２で液晶ＬＣを挟持してなる表示パネルＰＮＬと、
　前記表示パネルＰＮＬの一方の辺に沿って配置した多層プリント基板ＰＣＢと、
　前記多層プリント基板ＰＣＢに一端を接続して前記透明絶縁基板ＳＵＢ１の二辺に沿って配置され、それぞれが前記ＴＦＴに対して表示のための駆動信号電圧を供給する多層フレキシブル基板ＦＰＣ２，ＦＰＣ３と、
　前記透明絶縁基板ＳＵＢ１上に配列された前記ＴＦＴのドレイン側引き出し線ＤＴＭ及び端子配線Ｔｄと、
　前記ＴＦＴの前記ドレイン側引き出し線ＤＴＭに出力側のバンプＢＵＭＰを接続すると共に、前記多層フレキシブル基板ＦＰＣ２，ＦＰＣ３の出力端子ＴＭに前記端子配線Ｔｄを介して入力側のバンプＢＵＭＰを接続するように、前記透明絶縁基板ＳＵＢ１に搭載した駆動用ＩＣとを備え、
　前記駆動用ＩＣで駆動される前記ＴＦＴの前記ドレイン側引き出し線ＤＴＭの配列方向のセンタは、前記駆動用ＩＣの前記ＴＦＴの前記ドレイン側引き出し線ＤＴＭの配列方向に平行な方向のセンタと一致し、
　前記駆動用ＩＣの入力側のバンプＢＵＭＰに接続する前記多層フレキシブル基板ＦＰＣ２，ＦＰＣ３の前記出力端子ＴＭの前記ＴＦＴの前記ドレイン側引き出し線ＤＴＭの配列方向に平行な方向のセンタは、前記駆動用ＩＣの前記ＴＦＴの前記ドレイン側引き出し線ＤＴＭの配列方向に平行な方向のセンタと一致している、
液晶表示モジュール。」
の発明（以下「引用発明１」という。）が開示されていると認められる。
　　
３．２．引用刊行物２
　当審における平成２０年１月４日付け拒絶理由通知において引用された、本願の出願前に頒布された刊行物である特開平８−２５４７０９号公報（以下「引用刊行物２」という。）には、図面と共に以下の事項が記載されている。
　　
サ．「【請求項１】２次元で表現できる複数の経路を持ち、入口の経路間ピッチＰ１、出口の経路間ピッチＰ２、入口非経路幅Ｇ１、出口非経路幅Ｇ２を保ち最小かつ均一な抵抗条件を満足する入口角度θ１、出口角度θ２、入口経路幅Ｗ１、出口経路幅Ｗ２で配線するピッチ変換方法。
・・・（中略）・・・
【請求項３】請求項１記載または請求項２記載のピッチ変換方法を用いた液晶装置。」
　　
シ．「【００２６】この数６と数７より変数θ１、θ２を求めて配線する。非経路部Ｇ１，Ｇ２を設定して均一かつ最小抵抗値で配線できる。但しＰ１とＰ２のセンター位置は一致しない。」
　　
ス．「【００４６】
【実施例】以下本発明を図面に基づいて説明する。
【００４７】（実施例１）図１は請求項１記載の発明の１例を示した図である。８０本の経路でピッチＰ１＝０．２ｍｍをピッチＰ２＝０．２４ｍｍに変換している。非経路部は０．０３ｍｍの条件である（Ｇ１とＧ２は同一とした）。図２は各パラメータを示している。内部の経路は省略してある（尺度は約２０倍）。・・・（中略）・・・
【００５３】Ａは内部のどの経路でもよいので全経路の抵抗値が等しいことが証明された。このように非経路条件も守って均一かつ最小抵抗値で配線できる。」
　　
セ．「【００５６】（実施例３）図９は請求項３記載の発明である液晶装置に用いた図である。本発明のピッチ変換を駆動電圧を発生する液晶ドライバー３の出力ピッチから液晶表示画素２のピッチへの変換に応用している。非経路部Ｇ１と非経路部Ｇ２を等しくしてもよいし、パターン幅との比重を考慮して違えてもよい（他の実施例も同様にＧ１，Ｇ２は適宜等しくしたり、違えたりする）。作用で説明したようにスペーサーの効果を均一にするため、液晶セル間隔をガラス全面に渡って良好に制御できる。液晶はＴＦＴ方式でも、ＳＴＮ方式でもよい。」
　　
ｅ１．図１及び図２からは、複数の配線の一方の端部からなる配列と他方の端部からなる配列が、当該複数の配線の配列方向と平行な方向となるように配列されてなり、前記一方の端部からなる配列のセンタが前記他方の端部からなる配列のセンタに対してオフセットしていることが見てとれる。
　　
　これらを総合すると、引用刊行物２には、
「複数の配線の一方の端部からなる配列と他方の端部からなる配列が、当該複数の配線の配列方向と平行な方向となるように配列されてなり、前記一方の端部からなる配列のセンタを前記他方の端部からなる配列のセンタに対してオフセットしているＴＦＴ方式の液晶装置。」
との発明（以下「引用発明２」という。）が開示されていると認められる。
　　
３．３．引用刊行物３
　当審における平成２０年１月４日付け拒絶理由通知において引用された、本願の出願前に頒布された刊行物である特開平６−６７１９１号公報（以下「引用刊行物３」という。）には、図面と共に以下の事項が記載されている。
　
ソ．「【請求項１】一端に形成された端子部、他端に形成された表示電極、および、前記端子部および前記表示電極部間に前記端子部に対して斜め方向に設けられた配線電極をそれぞれ有する第１および第２の電極パターンと、これら第１および第２の電極パターンが互いに対向する面に形成された第１および第２の基板と、これら第１および第２の基板の間隙に挟持され前記表示電極間に表示画素が形成される液晶とを備えた液晶表示器において、
前記第１および前記第２の電極パターンのうち、少なくともいずれか一方の前記配線電極を単位長さ当たりの抵抗値が異なる複数の配線電極部に分割し、
これら各配線電極部の長さを異ならせて前記第１の電極パターンの端子部および前記第２の電極パターンの端子部間の各配線抵抗値を一定値にしたことを特徴とする液晶表示器。」
　　
ｆ１．図２からは、複数の配線電極の一方の端部からなる配列と他方の端部からなる配列が、当該複数の配線電極の配列方向と平行な方向となるように配列されてなり、前記一方の端部からなる配列のセンタが前記他方の端部からなる配列のセンタに対してオフセットしていることが見てとれる。
　　
　これらを総合すると、引用刊行物３には、
「複数の配線電極が、直線配線電極部と斜め直線配線電極部とからなり、前記複数の配線電極の一方の端部からなる配列と他方の端部からなる配列が、当該複数の配線電極の配列方向と平行な方向となるように配列されてなり、前記一方の端部からなる配列のセンタを前記他方の端部からなる配列のセンタに対してオフセットしている液晶表示器。」
との発明（以下「引用発明３」という。）が開示されていると認められる。
　　
４．対比、判断
４．１．対比
　そこで、本願発明と引用発明１とを対比する。
　引用発明１の「液晶表示モジュール」、「ＴＦＴ」、「透明絶縁基板ＳＵＢ１」、「共通電極」、「透明絶縁基板ＳＵＢ２」、「液晶ＬＣ」、「表示パネルＰＮＬ」、「多層プリント基板ＰＣＢ」、「駆動信号電圧」、「多層フレキシブル基板ＦＰＣ２，ＦＰＣ３」、「ドレイン側引き出し線ＤＴＭ」、「出力側のバンプＢＵＭＰ」、「出力端子ＴＭ」、「入力側のバンプＢＵＭＰ」及び「駆動用ＩＣ」は、それぞれ本願発明の「液晶表示装置」、「アクティブ素子」、「第１の基板」、「共通電極」、「第２の基板」、「液晶層」、「液晶表示素子」、「インターフェイス回路基板」、「駆動信号電圧」、「フレキシブル基板」、「引き出し線」、「出力端子」、「導体層部分」、「入力端子」及び「駆動ＩＣチップ」に相当する。
　　
　したがって、両者は、
「アクティブ素子を形成した第１の基板と、共通電極を形成した第２の基板とを有し、該第１の基板及び該第２の基板で液晶層を挟持してなる液晶表示素子と、
　前記液晶表示素子の一方の辺に沿って配置したインターフェイス回路基板と、
　前記インターフェイス回路基板に一端を接続して前記第１の基板の少なくとも一辺に沿って配置して前記アクティブ素子に対して表示のための駆動信号電圧を供給するフレキシブル基板と、
　前記アクティブ素子の引出し線に出力端子を接続すると共に前記フレキシブル基板の導体層部分に入力端子を接続する如く搭載した駆動ＩＣチップとを備え、
　該駆動ＩＣチップで駆動される前記アクティブ素子の引出し線の配列方向のセンタと、前記駆動ＩＣチップの前記アクティブ素子の引出し線の配列方向に平行な方向のセンタとを一致させた液晶表示装置。」
で一致し、以下の点で相違する。
　　
［相違点］
　本願発明は、「駆動ＩＣチップの入力端子に接続する前記フレキシブル基板の導体層部分の前記アクティブ素子の引出し線の配列方向に平行な方向のセンタを前記駆動ＩＣチップのセンタから前記インターフェイス回路基板側にオフセットさせた」のに対して、引用発明１では、両者のセンタを一致させてなる点。
　　
４．２．判断
　上記相違点について検討する。
　液晶表示装置の技術分野において、「複数の配線の一方の端部からなる配列と他方の端部からなる配列が、当該複数の配線の配列方向と平行な方向となるように配列されてなり、前記一方の端部からなる配列のセンタを前記他方の端部からなる配列のセンタに対してオフセットしているＴＦＴ方式の液晶装置。」（引用発明２）、及び「複数の配線電極が、直線配線電極部と斜め直線配線電極部とからなり、前記複数の配線電極の一方の端部からなる配列と他方の端部からなる配列が、当該複数の配線電極の配列方向と平行な方向となるように配列されてなり、前記一方の端部からなる配列のセンタを前記他方の端部からなる配列のセンタに対してオフセットしている液晶表示器。」（引用発明３）、がそれぞれ知られている。
　これら引用発明２，３によれば、液晶表示装置において、駆動ＩＣチップとフレキシブル基板の導体層部分との間のオフセットではないにせよ、複数の配線の両端部の配列中心をオフセット配置する技術は、従来周知であるものと認められる。
　また、引用発明１は、透明絶縁基板ＳＵＢ１上に、多層フレキシブル基板の出力端子ＴＭと電気的に接続される電極ＣＯＭ及び合わせマークＡＬＣを配置するから（上記３．の記載事項エ．及びキ．参照）、これらの位置や大きさに応じたスペースを確保することは、当業者が設計上当然考慮すべき事項というべきである。
　そして、引用刊行物１の図１等の記載から、透明絶縁基板ＳＵＢ１上に、駆動用ＩＣと多層フレキシブル基板の導体層部分のセンタをいずれの方向に対してもオフセット配置を許容するスペースが認められるから、引用発明１のようにセンタを一致させたり、あるいは上記周知技術のようにいずれかの方向にオフセット配置したりすることが、可能であることは明らかである。
　そうすると、引用発明１において、透明絶縁基板ＳＵＢ１上に電極ＣＯＭや合わせマークＡＬＣの配置スペースを用意するために、複数の配線の両端部の配列中心をオフセット配置する上記周知技術の構成を適用し、上記相違点に係る本願発明の構成とすることは、当業者が設計上適宜なし得る程度のことである。
　　
５．むすび　　
　以上のとおり、本願発明は、引用刊行物１に記載された発明及び周知技術に基づいて、当業者が容易に発明をすることができたものであるから、特許法第２９条第２項の規定により特許を受けることができない。
　よって、結論のとおり審決する。